(57)【要約】      （修正有）【課題】施工が簡単で断熱性能を維持しつつ結露の発生を防止して屋根構造の強度を低下させない住宅の屋根構造および屋根の構築方法提供する。【解決手段】各垂木１０は、その横断面が長方形の長方形部１１と、この長方形部１１の下方にあって長方形部１１よりも幅広の鍔部１５とからなり、断熱材２０は、隣り合う垂木１０の間に組み込まれる嵌合部２５と、嵌合部２５の両側面の上方部分に突設された出っ張り部２７からなり、嵌合部２５は、その両側面が組込み時に対応する各垂木１０の長方形部１１の側面１２と当接するように形成され、かつ、出っ張り部２７は、断熱材２０の上面シート２１と連続した延長シート２８aと、延長シート２８ａの下面に接着されかつ嵌合部２５の断熱層２３と同一素材の延長断熱層２８ｂとを有し、組込み時に上面シート２１との境界部分Ｂを中心として回動して上面シート２１と当接するように形成する。【選択図】図１
2011074719.tif 000002
【特許請求の範囲】
【請求項１】
住宅の軒から棟に亘って延びる複数本の木製の垂木が設けられており、互いに隣り合う垂木の間には断熱材が組み込まれており、当該断熱材が、平行に対向配置されるとともに任意の部位で折り曲げ可能で防水性の上面シートおよび下面シートと、当該両シート間に配置され該各シートの内面と接着した断熱層とからなる屋根構造において、
前記各垂木が、その横断面が長方形の長方形部と、この長方形部の下方にあって当該長方形部よりも幅広の鍔部とからなり、
前記断熱材が、隣り合う前記垂木の間に組み込まれる嵌合部と、当該嵌合部の両側面の上方部分に突設された出っ張り部からなり、当該断熱材の嵌合部は、その両側面が組込み時に前記各垂木の長方形部の側面と当接するように形成され、かつ、当該出っ張り部は、前記断熱材の上面シートと連続した延長シートと、該延長シートの下面に接着され前記断熱層と同一素材の延長断熱層とを有し、組込み時に前記上面シートとの境界部分を中心として回動して当該上面シートと当接して前記各垂木よりも所定長さだけ上方へ突出するように形成されていることを特徴とする住宅の屋根構造。
【請求項２】
前記出っ張り部の延長断熱層が、その内側面が下方に行くにしたがって前記嵌合部の側面から離れるように傾斜されていることを特徴とする請求項１記載の住宅の屋根構造。
【請求項３】
前記各垂木を、前記長方形部と、前記鍔部とを有するように形成し、
平行に対向配置されるとともに任意の部位で折り曲げ可能で防水性の上面シートおよび下面シートを有しかつ当該両シート間に介装され該各シートの内面と接着した断熱層とからなる断熱材形成用素材を、その幅方向に前記嵌合部の幅寸法および前記各出っ張り部の幅寸法の合計に相応した長さに切断し、次に、当該断熱材形成用素材の両側面を前記出っ張り部および前記嵌合部の側面の一部となる部分だけが残るように他の部分を除去し、次にその状態で、当該嵌合部の側面の一部となる面に沿って当該素材を前記上面シートが所定深さだけ切り込まれるまで切断したことを特徴とする住宅の屋根構造の構築方法。
【請求項４】
前記出っ張り部の延長断熱層の内側面を、下方に行くにしたがって前記嵌合部の端面から離れるように傾斜するように切断したことを特徴とする請求項３記載の住宅の屋根の構築方法。
【発明の詳細な説明】
【技術分野】
【０００１】
本発明は、住宅の屋根構造および屋根の構築方法に関する。
【背景技術】
【０００２】
図２３〜図２５に、一般の木造住宅の屋根構造を示す。図２３において、５０は垂木、７０は野地板である。複数本の垂木５０は、住宅の軒から棟に亘って伸延するように配設されており、野地板７０はこれらの垂木５０上に設けられる。そして、野地板７０上にルーフィングおよび瓦等の屋根材７４が施工される。なお、７５は棟換気孔である。
【０００３】
現今の木造住宅においては、住環境上・屋根耐久性の向上の観点から、屋根構造に通気性および断熱性を付与することが望まれている。そのため、図２４および図２５に示すように、隣接する垂木（５０，５０）間には発泡ポリスチレン板等の断熱材６０が設けられるとともに、断熱による結露等を防止するために、当該断熱材６０の上面と野地板７０との間には通気用の空洞（通気洞）６５が形成されている（例えば、特許文献１、２参照）。この空洞６５（通気洞）は軒から棟へ貫通され、当該通気洞（６５）を空気が流通する。なお、断熱材６０は、その弾性復元力を利用して隣接する垂木（５０，５０）間に嵌合されている。
【特許文献１】特開平９−１４４１５６号公報
【特許文献２】特開２００５−１０５５３２号公報
【発明の開示】
【発明が解決しようとする課題】
【０００４】
ところで、上記した特許文献１，２に代表される屋根構造では、経年変化によって断熱材６０の弾性が弱まると、垂木５０と断熱材６０との間に隙間が生じて、当該隙間に結露水が溜まって垂木５０等の屋根部材を腐朽させて屋根全体の構造強度を減少させるとともに、断熱性能が低下する。また、上記したように断熱材６０に通気洞（６５）形成用の溝を形成することは、断熱性能を低下させるとともに、その加工に手間が掛かる。
【０００５】
一般に、断熱材（６０）は、図２６に示すように、上型８１と下型８２とからなる型８０内に上面シート６１および下面シート６２を平行に対向配置し、当該両シート（６１，６２）間に配設された注入口８３からポリスチレン等の発泡プラスチックを注入して発泡させて断熱層（６３）を形成することによって製造（例えば、特開２０００−２７１９４４）されるが、この製造段階で上記溝を形成するには特殊な上型８１を用意しなければならず、加工費が増大するとともに手間が掛かることになる。また、別方法として、断熱材６０を、その両シート（６１，６２）が平坦になるように作った後に当該平坦な上面シート６１の中央部分を除去して溝を形成することも考えられるが、かかる加工方法では断熱性能・耐久性の減少を招くことになる。
【０００６】
本発明の目的は、屋根の断熱性能を維持しつつ結露を防いで構造強度を低下させることのない住宅の屋根構造および屋根の構築方法を提供することにある。
【課題を解決するための手段】
【０００７】
上記目的を達成するために、請求項１の発明は、住宅の軒から棟に亘って延びる複数本の木製の垂木が設けられており、互いに隣り合う垂木の間には断熱材が組み込まれており、当該断熱材が、平行に対向配置されるとともに任意の部位で折り曲げ可能で防水性の上面シートおよび下面シートと、当該両シート間に配置され該各シートの内面と接着した断熱層とからなる屋根構造において、前記各垂木が、その横断面が長方形の長方形部と、この長方形部の下方にあって当該長方形部よりも幅広の鍔部とからなり、前記断熱材が、隣り合う前記垂木の間に組み込まれる嵌合部と、当該嵌合部の両側面の上方部分に突設された出っ張り部からなり、当該断熱材の嵌合部は、その両側面が組込み時に前記各垂木の長方形部の側面と当接するように形成され、かつ、当該出っ張り部は、前記断熱材の上面シートと連続した延長シートと、該延長シートの下面に接着され前記断熱層と同一素材の延長断熱層とを有し、組込み時に前記上面シートとの境界部分を中心として回動して当該上面シートと当接するように形成されていることを特徴とするものである。
【０００８】
請求項２の発明は、前記出っ張り部の延長断熱層が、その内側面が下方に行くにしたがって前記嵌合部の側面から離れるように傾斜されていることを特徴とする請求項１記載の住宅の屋根構造である。
【０００９】
請求項３の発明は、前記各垂木を、前記長方形部と、前記鍔部とを有するように形成し、平行に対向配置されるとともに任意の部位で折り曲げ可能で防水性の上面シートおよび下面シートを有しかつ当該両シート間に介装され該各シートの内面と接着した断熱層とからなる断熱材形成用素材を、その幅方向に前記嵌合部の幅寸法および前記各出っ張り部の幅寸法の合計に相応した長さに切断し、次に、当該断熱材形成用素材の両側面を前記出っ張り部および前記嵌合部の側面の一部となる部分だけが残るように他の部分を除去し、次にその状態で、当該嵌合部の側面の一部となる面に沿って当該素材を前記上面シートが所定深さだけ切り込まれるまで切断したことを特徴とする住宅の屋根構造の構築方法である。
【００１０】
請求項４の発明は、前記出っ張り部の延長断熱層の内側面を、下方に行くにしたがって前記嵌合部の端面から離れるように傾斜するように切断したことを特徴とする請求項３記載の住宅の屋根の構築方法である。
【発明の効果】
【００１１】
本発明によれば、隣接する垂木間に断熱材の嵌合部を嵌め入れ、その状態で当該断熱材を垂木の鍔部に当接するまで下方へ移動させると、この下降中に両出っ張り部には当接した垂木の長方形部から上向きの力が作用する。これによって、断熱材の出っ張り部は、嵌合部の上面シートに接近しようとする方向に回動する。そして、断熱材は、その嵌合部が垂木の鍔部に当接して停止させられると、その出っ張り部は嵌合部の上面シートと当接する位置まで回動される。ここで、断熱材の出っ張り部は、嵌合部の上面シートと当接する位置に達すると垂木の長方形部よりも設定量だけ高くなる。その状態で、断熱材の両出っ張り部上に野地板を載置し、そして釘等の固定部材で当該野地板を垂木に固定する。
【００１２】
このように屋根を構築すると、断熱材の両出っ張り部、嵌合部の上面シートおよび野地板に囲まれた空き空間が形成される。この空き空間の軒側および棟側は開口されている。したがって、かかる空き空間は空気が流通する洞（すなわち通気洞）となる。この通気洞によって屋根に使用される部材に生じる温度差が緩和されるとともに、換気の役割を果たし、その結果として結露が有効に防止される。
【００１３】
なお、仮に何らかの理由で、通気洞の一部（例えば、野地板の下面）で結露が発生したとしても、当該通気洞の側面（延長シート）および底面（嵌合部の上面シート）は防水性に富んでいるので、結露水が当該通気洞外の垂木や断熱層へ結露水が浸透してしまうようなことはない。また、断熱材と垂木との当接箇所に隙間が生じていると、断熱性能が低下するばかりか当該隙間で結露が発生しやすいのであるが、当該断熱材の下面（嵌合部の下面シート）は野地板によって垂木の鍔部へ強く押圧されているので、当該断熱材の弾性力が減少したとしてもそのような隙間が生じるようなことはない。
【００１４】
また、上記したように断熱材は隣接する垂木間に嵌合される際に横方向に押し縮められて外向きの弾性復元力が働きやすい状態で嵌合されるのであるが、さらに野地板によって上下方向に押し縮められる結果ポアソン比に応じた外向きの横方向の弾性復元力が発生するので、断熱材の側面と垂木の長方形部の側面とは強く密着され隙間は生じない。このように、断熱材の弾性が経年変化等によって低下しても、当該断熱材と垂木との当接箇所に隙間は生ぜず結露は発生しない。
【００１５】
以上から、上記構成の屋根構造およびその構築方法によれば、施工が簡単で断熱性能を維持しつつ結露の発生を防止して屋根構造の強度を低下させない。
【発明を実施するための最良の形態】
【００１６】
以下、本発明の実施形態を図面を参照して説明する。
【００１７】
（第１の実施形態）
【００１８】
本発明に係る住宅の屋根構造は、図２２に示すように、当該住宅の軒から棟に亘って伸延するように配設された複数本の垂木１０と、隣接する垂木（１０，１０）間に嵌合された断熱材２０と、各垂木１０上に設けられた野地板４０とを有し、図１に示すように、断熱材２０が両垂木（１０，１０）間に嵌合されると自動的に通気洞形成用突起（２７）が出現する構成とされている。なお、図２２に示すように、野地板４０上にはルーフィングおよび瓦等の屋根材４５が施工される。なお、７５は棟換気孔である。
【００１９】
具体的に本屋根構造の各構成要素を説明する。
【００２０】
各垂木１０は、図１および図５に示すように、その横断面が長方形の長方形部１１と、この長方形部１１の下方にあって当該長方形部１１よりも幅広の鍔部１５とからなる。この実施形態では、垂木１０の第１高さ（すなわち、鍔部１５の底面１６から長方形部１１の上面１３までの長さ）Ｈ１、第２高さ（鍔部１５の上面１７から長方形部１１の上面１３までの長さ）Ｈ２などは、屋根の大きさ等をもとに算出される。同様に、垂木１０の縦方向長さ（図５で軒側端面１９から棟側端面１９ｂの長さ）も屋根の大きさ等をもとに算出される。この実施形態では、垂木１０は、一度に５面を加工可能な加工機械によって、一本の長寸の木製部材の所定部位を切断することにより一体形成されている。なお、上記した長方形部１１と鍔部１５とを別部材で作った後に合体させて垂木１０を形成してもよい。
【００２１】
次に、断熱材２０は、素材的には、図１に示すように、上面シート２１、下面シート２２および両シート（２１，２２）に挟まれた断熱層２３とからなる。上面シート２１および下面シート２２は、任意の部位で折り曲げ可能で防水性に富んだ薄板状プラスチック製とされており、互いに平行に対向配置されている。上記断熱層２３は、発泡プラスチック（例えば、ポリスチレン）製とされており、上記両シート（２１，２２）の内面と強固に接着されている。この断熱層２３が主に断熱機能を発揮する部分である。なお、断熱材２０の製造時に、上記両シート（２１，２２）の間隔（すなわち、上面シート２１の上側面から下面シート２２の下側面までの長さ）Ｈ１０が、垂木１０の第２高さＨ２よりも所定長さβ（例えば２mm）だけ短くなるように選択されている。
【００２２】
この断熱材２０は、形状的には、図１に示すように、隣り合う垂木（１０，１０）の間に嵌め入れられる嵌合部２５と、当該嵌合部２５の両側面（２６，２６）の上方部分に突設された出っ張り部（２７，２７）からなる。
【００２３】
より具体的には、断熱材２０の嵌合部２５は、その横方向（幅方向）長さＬ１０は、対応する各垂木（１０，１０）間の間隔Ｌ０よりも所定長さα（例えば２mm）だけ長くなるように形成されている。なお、ここで、両垂木（１０，１０）間の間隔Ｌ０は、それぞれの長方形部（１１，１１）の対向する側面１２間の距離を意味する。
【００２４】
また、断熱材２０の特徴部である出っ張り部２７は、図９に示すように、上記嵌合部２５の両側面（２６，２６）の上方部分に当該嵌合部２５から横方向（幅方向）に所定長さＬ１１だけ外方へ突出するように設けられている。具体的には、この出っ張り部２７は、上記嵌合部２５の上面シート２１と連続した（繋がった）延長シート２８aと、当該延長シート２８aの下面に接着されており当該嵌合部２５の断熱層２３と同一素材の延長断熱層２８bとを有し、図中２点鎖線で示すように、上記両シート（２１，２８a）の境界部分Ｂを中心として矢印Ｅ方向に１８０°回動して当該嵌合部２５の上面シート２１と当接可能に形成されている。
【００２５】
ここに、上記出っ張り部２７の高さ（上記延長シート２８aから上記延長断熱層２８bの下面までの長さ）Ｈ１１は、図２に示すように、上記回動が終了した状態で垂木１０の長方形部１１の上面１３よりも所定長さγ（例えば２mm）だけ高くなるように設定されている。
【００２６】
なお、上記したように断熱材２０の上面シート２１は任意の部位で折り曲げ可能であるので、上記回動は円滑に行われる。特に、この実施形態では、図９に示すように、上記両シート（２１，２８a）の境界部分Ｂは切り込みがいれられて厚さが小さくされているので、出っ張り部２７は当該境界部分Ｂを中心として円滑に折り曲げられる。また、断熱材２０の嵌合部２５の上面シート２１と断熱層２３および出っ張り部２７の延長シート２８aと延長断熱層２８ｂとは、それぞれ強固に接着しているので上記回動によって剥がれるようなことはない。また、上記回動によって上記両シート（２１，２８a）の境界部分Ｂでも破断するようなことはない。
【００２７】
（上記断熱材２０の具体的形成方法）
【００２８】
本屋根構造の要部である断熱材２０は次のように形成される。
【００２９】
（１） 上記嵌合部２５および両側の出っ張り部２７が形成できるような断熱材形成用素材（２０Ａ）を用意する。なお、断熱材形成用素材（２０Ａ）の製造方法は、発明が解決しようとする課題の欄で述べた特開２０００−２７１９４４に開示された方法と同じであるので、その詳細は省略する。
【００３０】
（２） この断熱材形成用素材（２０Ａ）を、図６に示すように、その横方向長さ（幅方向長さ）をＬ１０＋２×Ｌ１１に切断する。
【００３１】
（３） 上記（２）で成形された断熱材形成用素材２０Ａを、図７に示すように、その側面２４Ａから長さＬ１１および下面から（Ｈ１０−Ｈ１１）の直方体部分（図７中２点鎖線部分）を切除する。
【００３２】
（４） 次に、図８および図９に示すように、上記（３）の切断作業で出現した側面（２４Ｂ）に沿って断熱材形成用素材２０Ａを上面シート２１Ａが所定深さｔ1（この実施形態では厚さｔの半分）まで切り込まれるまで切断する。なお、断熱材形成用素材２０Ａの切り込み深さは、当該シート２１Ａの折り曲げやすさで決定される。すなわち、上記シート２１Ａの剛性が高く折り曲げにくい場合には切り込み量を大きくし、反対に折り曲げやすい場合には切り込み量を小さくする。なお、上面シート２１Ａが特に折り曲げやすい場合には、当該シート２１Ａに切り込みが全然入らないように切断してもよい。このような切断作業によって、上記嵌合部２５の両側面２６の上方部分に横断面長方形状（幅Ｌ１１および高さＨ１１）の出っ張り部２７が形成される。
【００３３】
以上のような形成作業によって断熱材２０が形成される。
【００３４】
なお、上記具体的形成方法では出っ張り部２７を横断面長方形状としたが、図１６に示すように、その内側面２９ｂを下方に行くにしたがって上記嵌合部２５の側面２６から離れるように傾斜するように断熱材（２０）を形成してもよい。なお、かかる断熱材（２０）は、その内側面２９ｂが傾斜面となっている他は上記した横断面長方形状の出っ張り部２７を有する断熱材２０と同様構成である。
【００３５】
（屋根の構築）
【００３６】
上記した垂木１０および断熱材２０を用いて屋根を構築する場合、図１中２点鎖線に示すように、隣接する垂木（１０，１０）間に断熱材２０の嵌合部２５を嵌めいれる。すると、図１０〜図１４に示すように、断熱材２０の嵌合部２５が対応する垂木１０の長方形部１１の側面１２と当接しながら下方へ移動するに従って、出っ張り部２７には垂木１０の長方形部１１の上面１３から上向きの力が作用する。この上向きの力は上記両シート（２８a，２１）の境界部分Ｂの図１１中左側の出っ張り部２７部分に作用するので、当該出っ張り部２７は嵌合部２５に対して矢印Ｅ方向に回動し始める。なお、断熱材２０の両出っ張り部２７の動きは完全に対称であるので、これからの説明では一方のみ図示して説明することにして他方は省略する。
【００３７】
そして、図１２に示すように、断熱材２０の嵌合部２５の上面（２１）が垂木１０の長方形部１１の上面１３と同一高さになる位置に達した段階では、出っ張り部２７は図１０に示す初期位置から矢印Ｅ方向に９０°回転して内側面２９bが長方形部１１の上面１３と当接する。さらに、その位置から断熱材２０の嵌合部２５が下がり続けると、出っ張り部２７には垂木１０の長方形部１１の内角１４および側面１２から上向きの力が作用する。これによって、出っ張り部２７は、矢印Ｅ方向の回動を続けて、図１３および図１４に示すように、断熱材２０の嵌合部２５の上面（上面シート２１）が垂木１０の長方形部１１の上面１３より下がった段階では初期位置から矢印Ｅ方向に１８０°回転して当該嵌合部２５の上面（２１）と当接する。その状態で、断熱材２０は、図１５に示すように、その嵌合部２５の下面（２２）が垂木１０の鍔部１５にまで達すると、下降が停止される。このように、断熱材２０が隣接垂木（１０，１０）間に嵌めいれられて下降作業が完了すると、両出っ張り部（２７，２７）は嵌合部２５の上面（２１）に当接した位置（通気洞形成位置）に係止される。
【００３８】
このように断熱材２０の嵌合部２５を垂木（１０，１０）間に嵌め入れて下降させると、特別な操作をすることなく、図１５に示すように、出っ張り部２５は当該嵌合部２５の上面シート２１に当接する位置まで回動されて通気洞形成用出っ張り部分となる。この状態では、出っ張り部２７は垂木１０の上面（１３）よりも所定長さγだけ高い。
【００３９】
その状態で、図３に示すように、両出っ張り部（２７，２７）上に野地板４０を載置し、そして図４に示す釘４３等の固定部材で当該野地板４０を垂木１０に固定する。その後、野地板４０上にルーフィングおよび瓦等の屋根材４５を施す。
【００４０】
なお、出っ張り部２７の内側面２９ｂが傾斜面となっている図１６に示す断熱材（２０）でも、その嵌合部２５を隣接する垂木（１０，１０）間に嵌め入れて下降させると、図１７〜図２０に示すように、当該出っ張り部２７が当該嵌合部２５に対して矢印Ｅ方向に回動して、図２１に示す下降完了位置に達した場合には当該出っ張り部２７は当該嵌合部２５の上面シート２１と当接する。ここで、断熱材（２０）では、上記嵌合部２５の下降中にその出っ張り部２７には上記断熱材２０の場合と同様に垂木１０の長方形部１１から上向きの力が作用して矢印Ｅ方向に回動する。ここで、断熱材（２０）の出っ張り部２７は、その傾斜した内側面２９ｂを介して上記した上向きの力が作用するようになると、当該上向き力の伝わりかたが上記断熱材２０の場合よりも一段となめらかになる。したがって、断熱材（２０）の出っ張り部２７の回動が一段と円滑になる。なお、垂木１０の内角１４を面取り（Ｃ）すれば、断熱材２０の出っ張り部２７の矢印Ｅ方向の回動（特に、嵌合部２５が垂木１０よりも下がった段階の回動）が一段と円滑になる。
【００４１】
このように屋根を構築すると、断熱材２０の両出っ張り部（２５，２５）、嵌合部２５の上面シート２１および野地板４０に囲まれた空き空間が形成される。この空き空間は住宅の軒から棟へ貫通しており、図４に示すように、空気が流通する洞（すなわち、通気洞３９）を形成する。この通気洞３９によって屋根に使用される部材に生じる温度差が緩和されるとともに、換気の役割を果たし、その結果として結露が有効に防止される。
【００４２】
なお、仮に何らかの理由で、通気洞３９の一部（例えば、その天井面）で結露が発生したとしても、その側面（２８a）および底面（２１）は防水性に富んでいるので、結露水が当該通気洞３９外の垂木１０や断熱層２３へ結露水が浸透してしまうようなことはない。また、断熱材２０と垂木１０との当接箇所に隙間が生じていると、断熱性能が低下するばかりか当該隙間で結露が発生しやすいのであるが、次に述べるように本発明では断熱材２０が経年変化等によって弾性力が減少したとしても垂木１０との当接箇所に隙間が生じない。
【００４３】
（１）断熱材２０の下面（２２）と垂木１０の鍔部１５との当接箇所
【００４４】
上記したように、断熱材２０の下面（２２）は野地板４０および固定部材（４３）によって垂木１０の鍔部１５へ強く押圧されているので、当該断熱材２０の弾性力が減少したとしてもそのような隙間が生じるようなことはない。したがって、当該箇所における結露の発生が防止される。
【００４５】
（２）断熱材２０の嵌合部２５の側面２６と垂木１０の長方形部１１との当接箇所
【００４６】
断熱材２０は隣接する垂木（１０，１０）間に嵌合される際に横方向に押し縮められて外向きの弾性復元力が働きやすい状態で嵌合されるのであるが、さらに上記野地板４０によって上下方向に押し縮められる結果ポアソン比に応じた横方向の弾性復元力が発生するので、断熱材２０の側面２６と垂木１０の長方形部１１の側面１２とは強く密着され隙間は生じない。したがって、当該箇所における結露の発生が防止される。
【００４７】
以上から、上記構成の屋根構造およびその構築方法によれば、施工が簡単で断熱性能を維持しつつ結露の発生を防止して屋根構造の強度を低下させない。
【図面の簡単な説明】
【００４８】
【図１】本発明の実施形態を説明するための図である。
【図２】断熱材の出っ張り部と垂木との位置関係が一段と円滑
【図３】本屋根の構築方法を説明するための図（１）である。
【図４】本屋根の構築方法を説明するための図（２）である。
【図５】垂木を説明するための斜視図である。
【図６】断熱材の形成方法を説明するための図（１）である。
【図７】断熱材の形成方法を説明するための図（２）である。
【図８】断熱材の形成方法を説明するための図（３）である。
【図９】本発明の要部である断熱材を説明するための横断面図である。
【図１０】隣接する垂木間に断熱材を組み込む作業を説明するための図（１）である。
【図１１】隣接する垂木間に断熱材を組み込む作業を説明するための図（２）である。
【図１２】隣接する垂木間に断熱材を組み込む作業を説明するための図（３）である。
【図１３】隣接する垂木間に断熱材を組み込む作業を説明するための図（４）である。
【図１４】隣接する垂木間に断熱材を組み込む作業を説明するための図（５）である。
【図１５】隣接する垂木間に断熱材を組み込む作業を説明するための図（６）である。
【図１６】断熱材の変形例を説明するための図である。
【図１７】隣接する垂木間に変形断熱材を組み込む作業を説明するための図（１）である。
【図１８】隣接する垂木間に変形断熱材を組み込む作業を説明するための図（２）である。
【図１９】隣接する垂木間に変形断熱材を組み込む作業を説明するための図（３）である。
【図２０】隣接する垂木間に変形断熱材を組み込む作業を説明するための図（４）である。
【図２１】垂木の変形例を説明するための横断面図である。
【図２２】本発明に係る屋根の全体構成を説明するための図である。
【図２３】従来の屋根構造を説明するための図（１）である。
【図２４】従来の屋根構造を説明するための図（２）である。
【図２５】従来の屋根構造を説明するための図（３）である。
【図２６】断熱材素材を製造する方法を説明するための図である。
【符号の説明】
【００４９】
１０ 垂木
１１ 長方形部
１２ 側面
１３ 上面
１４  内角
１５ 鍔部
１６ 底面
１７  上面
２０ 断熱材
２０Ａ  断熱材形成素材
２１  上面シート
２２  下面シート
２３  断熱層
２４  側面
２５  嵌合部
２６  側面
２７  出っ張り部
２８a  延長シート
２８b  延長断熱層
２９a  下面
２９b  内側面
３９  通気洞
４０  野地板
４３  釘（固定部材）
４５  屋根材
【図１】
2011074719.tif 000003
【図２】
2011074719.tif 000004
【図３】
2011074719.tif 000005
【図４】
2011074719.tif 000006
【図５】
2011074719.tif 000007
【図６】
2011074719.tif 000008
【図７】
2011074719.tif 000009
【図８】
2011074719.tif 000010
【図９】
2011074719.tif 000011
【図１０】
2011074719.tif 000012
【図１１】
2011074719.tif 000013
【図１２】
2011074719.tif 000014
【図１３】
2011074719.tif 000015
【図１４】
2011074719.tif 000016
【図１５】
2011074719.tif 000017
【図１６】
2011074719.tif 000018
【図１７】
2011074719.tif 000019
【図１８】
2011074719.tif 000020
【図１９】
2011074719.tif 000021
【図２０】
2011074719.tif 000022
【図２１】
2011074719.tif 000023
【図２２】
2011074719.tif 000024
【図２３】
2011074719.tif 000025
【図２４】
2011074719.tif 000026
【図２５】
2011074719.tif 000027
【図２６】
2011074719.tif 000028